(57)【特許請求の範囲】
【請求項１】
点灯回路が付属する器具本体を備え、前記器具本体の外面に沿って配置する二重環ランプを備え、前記二重環ランプは環径の大きな大形環状発光管と環径の小さな小形環状発光管とを含む単一の放電路を形成し起動時にその各フィラメント電極を予熱する二重環形かつ予熱形の環状蛍光ランプであり、
前記点灯回路の出力端子となるランプソケットを備え、前記ランプソケットは電源側の２極と非電源側（予熱側）の２極を含む４極形のものであり、前記二重環ランプの口金部に形成される４極形のソケット受部を備え、前記口金部に収納する温度ヒューズを備え、前記温度ヒューズを前記ソケット受部における任意の１極と直列に接続し、前記ランプソケットを前記ソケット受部へ着脱自在に装着したときに４極の配線接続がなされる形態でありかつ前記ランプソケットにおける電源側の１極と前記温度ヒューズが直列になる形態であり、
前記ランプソケット・器具本体間か前記ランプソケット・前記ソケット受部間かのいずれか一方に組合わせ特定手段を設け、前記組合わせ特定手段は前記接続形態を許容しその他の接続形態を禁止する態様の手段であることを特徴とする環状蛍光灯器具。
【発明の詳細な説明】
【０００１】
【発明の属する技術分野】
本発明は環径の大きな大形環状発光管と環径の小さな小形環状発光管とを含む単一の放電路を形成し起動時にその各フィラメント電極を予熱する二重環形かつ予熱形の環状蛍光ランプを組み込んだ環状蛍光灯器具に関するものである。
【０００２】
【従来の技術】
この種の環状蛍光灯器具においては、器具本体に付属する点灯回路と環状蛍光ランプとをランプソケット・口金部を用いて着脱自在に接続する。ランプソケットは点灯回路の出力側であり、口金部は環状蛍光ランプに付属する。また、いずれも４極形である。ランプソケットの４極のうちの２極は電源側であり、残りの２極は非電源側（予熱側）である。口金部には電源側・非電源側の区別がない。フィラメント電極のある１極を電源側とするのであれば、対応するもう１極を非電源側とすればこと足りる。また、ある１極を非電源側とするであれば、対応するもう１極を電源側とすればこと足りる。
【０００３】
【発明が解決しようとする課題】
一般に口金部には電源側・非電源側の区別がない。しかし、これでは困ることがある。いずれを電源側（非電源側）としても外形的には正常に点灯するが、寿命末期時等に悪影響を生じ、環状蛍光ランプが過熱することがある。
本発明の目的は口金部に電源側・非電源側の区別を与え、かつそれを保証することである。それにより、器具組立時はもとよりその後の保守あるいは修理時においても適切な区別がなされ、それにより、寿命末期時等に異常温度となることのない信頼性の高い環状蛍光灯器具を提供することである。
【０００４】
【課題を解決するための手段】
本発明においては、点灯回路が付属する器具本体を備える。器具本体の外面に沿って配置する二重環ランプを備える。二重環ランプは環径の大きな大形環状発光管と環径の小さな小形環状発光管とを含む単一の放電路を形成し起動時にその各フィラメント電極を予熱する二重環形かつ予熱形の環状蛍光ランプである。点灯回路の出力端子となるランプソケットを備える。ランプソケットは電源側の２極と非電源側（予熱側）の２極を含む４極形のものである。二重環ランプの口金部に形成される４極形のソケット受部を備える。口金部に収納する温度ヒューズを備える。温度ヒューズをソケット受部における任意の１極と直列に接続する。ランプソケットを前記ソケット受部へ着脱自在に装着したときに４極の配線接続がなされる形態でありかつランプソケットにおける電源側の１極と温度ヒューズ０が直列になる形態である。
ランプソケット・器具本体間かランプソケット・ソケット受部間かのいずれか一方に組合わせ特定手段を設ける。組合わせ選別手段は前記接続形態を許容しその他の接続形態を禁止する態様の手段である。
【０００５】
【発明の実施の形態】
図１〜図４を用いて本発明の実施形態について説明する。本発明においては、点灯回路１１０が付属する器具本体１００を備える。器具本体１００の外面に沿って配置する二重環ランプ２００を備える。二重環ランプ２００は環径の大きな大形環状発光管２１０と環径の小さな小形環状発光管２２０とを含む単一の放電路を形成し起動時にその各フィラメント電極を予熱する二重環形かつ予熱形の環状蛍光ランプである。点灯回路１１０の出力端子となるランプソケット１２０を備える。ランプソケット１２０は電源側の２極１２２・１２４と非電源側（予熱側）の２極１２６・１２８を含む４極形のものである。二重環ランプ２００の口金部２４０に形成される４極形のソケット受部２４２を備える。口金部２４０に収納する温度ヒューズ２６０を備える。温度ヒューズ２６０をソケット受部２４２における任意の１極２２２と直列に接続する。ランプソケット１２０を前記ソケット受部２４２へ着脱自在に装着したときに４極の配線接続がなされる形態でありかつランプソケット１２０における電源側の１極１２２と温度ヒューズ２６０が直列になる形態である。
ランプソケット１２０・器具本体１００間かランプソケット１２０・ソケット受部２４２間かのいずれか一方に組合わせ特定手段９００を設ける。組合わせ選別手段９００は前記接続形態を許容しその他の接続形態を禁止する態様の手段である。
補足して説明する。１１２は交流電源、１１４は交流電源１１２電圧を受けて駆動し高周波電圧を形成し二重環ランプ２００へ給電する主回路、１１６は予熱用コンデンサであり、これらは点灯回路１１０を構成する。温度ヒューズ２６０は説明の便宜上、点灯回路１１０に属さず、口金部２４０に属するものと理解する。温度ヒューズ２６０は常閉形であり、二重環ランプ２００の過熱時に開路して二重環ランプ２００への給電を止めて消灯させ、さらなる異常温度となることを防止する。点灯回路１１０の出力端子極１２２〜１２８はランプソケット１２０に属する。５００は器具本体１００に着脱自在に装着する透光カバーであり、器具本体１００・二重環ランプ２００の片面を覆う。
図示の器具本体１００は天井直付け形である。図示範囲は主として器具本体１００の反射板部である。本実施例におけるランプソケット１２０は器具本体１００の反射板に係合し、その接続部が下面側へ露出する。器具本体１００の下面側に適宜の数のランプホルダ１０５が付属する。二重環ランプ２００はこれらのランプホルダ１０５ないしはランプソケット１２０によって着脱自在に保持される。
二重環ランプ２００のほぼ口金部２４０は大形環状発光管２１０・小形環状発光管２２０の各環端部に位置する。ほぼ口金部２４０の箇所に一対の図外のフィラメント電極が位置する。そのため、口金部２４０付近が過熱しやすい。その過熱を温度ヒューズ２６０で検知する。二重環ランプ２００の入力端子極２２２〜２２８はランプソケット１２０の出力端子極１２２〜１２８と対応する。前者は接続ピンの形態であり、後者は図外のピン受け金具の形態である。常態では入力端子極２２２（２２４）は出力端子極１２２（１２４）に接し、入力端子極２２６（２２８）は出力端子極１２６（１２８）に接する。温度ヒューズ２６０は入力端子極２２２と直列であり、入力端子極２２２を介して出力端子極１２２とも直列となる。温度ヒューズ２６０は二重環ランプ２００（正確にはランプ本体）から見た場合の電源側（主回路１１４側）に位置する。そのために温度ヒューズ２６０が開路すると、二重環ランプ２００に対する給電が停止し、消灯する。予熱用コンデンサ１１６側は二重環ランプ２００から見た場合の非電源側である。予熱用コンデンサ１１６の回路が開路しても、二重環ランプ２００の点灯は継続する。このため、過熱時に予熱用コンデンサ１１６の回路を開路しても無意味である。
図４の二重環ランプ２００は出力端子極１２２〜１２８を含まない入力端子極２２２〜２２８の範囲である。一般には入力端子極２２２〜２２８の範囲を図示の左右対象に入れ替えて出力端子極１２２〜１２８に接続することが可能である。この場合は温度ヒューズ２６０が出力端子極１２２側（電源側）ではなく、１２８（非電源側）に位置することとなる。しかして、温度ヒューズ２６０が非電源側にあっても点灯には支障がないために、その状態で使用し続けることがある。その場合は二重環ランプ２００の寿命末期時等にそれが過熱しさらに異常温度に達することがあり、危険である。二重環ランプ２００は一重環ランプよりも長放電路の高出力形であり、かつ全体がコンパクトにまとまっているために、過熱の不安が高い。本発明は温度ヒューズ２６０が非電源側に配置して点灯する可能性を排除することである。そのために、例えば次のような組合わせ特定手段９００を付加する。
組合わせ特定手段９００は出力端子極１２２〜１２８・入力端子極２２２〜２２８の接続が前記のごとくに特定する手段である。図示例においては、ランプソケット１２０・器具本体１００間に組合わせ特定手段９００に設けてある。ランプソケット１２０の側面に凸部１２９を形成し、器具本体１００の反射板部におけるソケット受穴１９８の周囲に凹部１９９を形成する。両者の組合わせは凸部１２９に凹部１９９がはまる態様でのみ可能である。そのために凸部１２９ひいてはランプソケット１２０の姿勢が特定され、ランプソケット１２０側の出力端子極１２２〜１２８と二重環ランプ２００側の入力端子極２２２〜２２８との関係が特定され、温度ヒューズ２６０は常に電源側に位置する。
ランプソケット１２０・ソケット受部２４２の相互の関係に限って見ると、その両者の組合わせは一般には二種類であり、その一方では温度ヒューズ２６０が電源側に位置し、他方では非電源側に位置する。器具本体１００からランプソケット１２０が図外のコードを介して排出する図外の構成である場合は、ランプソケット１２０・ソケット受部２４２に適宜の凹凸部を付加し、その凸部が凹部に着脱自在に係合する組合わせのみを許容し、その状況下では温度ヒューズ２６０が電源側に位置するようにしても同効であり、本発明の組合わせ特定手段はそのような態様のものであっても差し支えない。
説明をさらに補足する。本発明の口金部は前記のごとく電源側・非電源側の区別を持つ。本発明の組合わせ特定手段は点灯回路ないしはランプソケットとの関係において、口金部の電源側が必ず電源側として配線されることを保証する。電源側が電源側とならない誤りは、器具組立時あるいはその後の保守あるいは修理時に生ずる可能性があるが、本発明の組合わせ特定手段はそうした誤りの余地を排除する。
【０００６】
【発明の効果】
本発明は口金部に電源側・非電源側の区別を与え、またそれを保証するための組合わせ特定手段を備える。これによれば、器具組立時はもとよりその後の保守あるいは修理時においても適切な組合わせがなされ、それにより寿命末期時等に異常温度となることのない信頼性の高い環状蛍光灯器具が得られる。
【図面の簡単な説明】
【図１】本発明に係る環状蛍光灯器具を示す分解斜視図である。
【図２】図１の器具本体の要部を示す拡大分解斜視図である。
【図３】図１の二重環ランプを上下逆にして要部を示す拡大斜視図である。
【図４】図１器具の回路図である。
【符号の説明】
１００：器具本体
１０５：ランプホルダ
１１０：点灯回路
１１２：交流電源
１１４：主回路
１１６：予熱用コンデンサ
１２０：ランプソケット
１２２・１２４・１２６・１２８：出力端子極
１２９：凸部
１９８：ソケット受穴
１９９：凹部
２００：二重環ランプ
２１０：大形環状発光管
２２０：小形環状発光管
２２２・２２４・２２６・２２８：入力端子極
２４０：口金部
２４２：ソケット受部
２６０：温度ヒューズ
５００：透光カバー
９００：組合わせ特定手段
【図１】
0004269458.tif 000002
【図２】
0004269458.tif 000003
【図３】
0004269458.tif 000004
【図４】
0004269458.tif 000005